(57)【特許請求の範囲】
【請求項１】
テープを送り出しながら印刷を行った後、テープ先端部を、人間が指先でテープを抓める長さｘ（ｘ＞０）だけ装置外に突出した状態でカットするテープ印刷装置であって、
テープを送るテープ送り手段と、
テープに印刷を行う印刷手段と、
前記印刷手段により印刷される印刷データを入力する印刷データ入力手段と、
前記印刷データ入力手段により入力された印刷データに基づき、テープ長ｔｐ（ｔｐ＞０）を算出するテープ長算出手段と、
前記テープ長算出手段によって算出されたテープ長ｔｐに基づいて、テープ長ｔを設定するテープ長設定手段と、
前記テープ長設定手段により設定されたテープ長ｔとなるようにテープをカットする切断手段と、を備え、
前記テープ長設定手段は、算出したテープ長ｔｐと、前記切断手段によりテープをカットする切断位置とテープを装置外に排出する排出口位置との間の長さａ（ａ＞０）に前記長さｘを加えた長さ（ａ＋ｘ）とを比較して、ｔｐ＜（ａ＋ｘ）と判断された場合、ｔ≧（ａ＋ｘ）となるようにテープ長ｔを設定し、
ｔｐ≧（ａ＋ｘ）と判断された場合、ｔ＝ｔｐとしてテープ長ｔを設定することを特徴とするテープ印刷装置。
【請求項２】
前記印刷データ入力手段は、印刷データとして、印刷対象となるキャラクタデータと、テープの前余白の長さを示す前余白データと、テープの後余白の長さを示す後余白データとを入力可能であることを特徴とする請求項１に記載のテープ印刷装置。
【請求項３】
前記印刷データ入力手段は、印刷対象となるキャラクタデータを入力するものであり、前記印刷データは、当該キャラクタデータと、それぞれテープの前余白および後余白の所定長さを示す前余白データおよび後余白データとで構成されることを特徴とする請求項１に記載のテープ印刷装置。
【請求項４】
テープ上において、前記キャラクタデータに基づいて印刷されるキャラクタ部分の配置位置を設定するキャラクタ位置設定手段を更に備え、
前記キャラクタ位置設定手段によって設定されたキャラクタ位置にしたがって、前記前余白データおよび後余白データが示すそれぞれの所定長さが設定されることを特徴とする請求項３に記載のテープ印刷装置。
【請求項５】
前記キャラクタ部分の配置位置には、前寄せ、後寄せ、センタリングのうち、少なくとも１つの配置位置が含まれることを特徴とする請求項４に記載のテープ印刷装置。
【請求項６】
前記テープ長設定手段は、ｔｐ＜（ａ＋ｘ）と判断された場合、前余白データまたは後余白データのいずれか一方が示す長さに、長さα｛α≧（ａ＋ｘ−ｔｐ）｝（α＞０）を加えることで、ｔ≧（ａ＋ｘ）となるようにテープ長ｔを設定することを特徴とする請求項２ないし５のいずれかに記載のテープ印刷装置。
【請求項７】
前記長さαは、α＝ａ＋ｘ−ｔｐで求められることを特徴とする請求項６に記載のテープ印刷装置。
【請求項８】
前記テープ長設定手段は、ｔｐ＜（ａ＋ｘ）と判断された場合、前余白データまたは後余白データが示す長さに、それぞれ長さβ［β≧｛（ａ＋ｘ−ｔｐ）／２｝］（β＞０）を加えることで、ｔ≧（ａ＋ｘ）となるようにテープ長ｔを設定することを特徴とする請求項２ないし５のいずれかに記載のテープ印刷装置。
【請求項９】
前記長さβは、β＝（ａ＋ｘ−ｔｐ）／２で求められることを特徴とする請求項８に記載のテープ印刷装置。
【請求項１０】
テープを送り出しながら印刷を行った後、テープ先端部を、人間が指先でテープを抓める長さｘ（ｘ＞０）だけ装置外に突出した状態でカットするテープ印刷装置であって、
テープを送るテープ送り手段と、
テープに印刷を行う印刷手段と、
前記印刷手段により印刷される印刷データを入力する印刷データ入力手段と、
前記印刷データ入力手段により入力された印刷データに基づき、テープ長ｔｐ（ｔｐ＞０）を算出するテープ長算出手段と、
前記テープ長算出手段により算出されたテープ長ｔｐに基づいてテープをカットする切断手段と、を備え、
前記切断手段は、前記テープ長算出手段により算出されたテープ長ｔｐと、テープをカットする切断位置とテープを装置外に排出する排出口位置との間の長さａ（ａ＞０）に前記長さｘを加えた長さ（ａ＋ｘ）とを比較して、ｔｐ≧（ａ＋ｘ）と判断された場合、前記印刷手段により印刷を行うと共に前記テープ送り手段により長さｔｐだけテープを送った後、テープ後端部をカットし、
ｔｐ＜（ａ＋ｘ）と判断された場合、前記印刷手段により印刷を行うと共に前記テープ送り手段により長さｔｐだけテープを送った後、さらに前記テープ送り手段のみにより長さα｛α≧（ａ＋ｘ−ｔｐ）｝（α＞０）だけテープを送った後、テープ後端部をカットすることを特徴とするテープ印刷装置。
【請求項１１】
ｔｐ＜（ａ＋ｘ）と判断された場合、前記印刷手段は、前記テープ送り手段により長さｔｐだけテープを送った時点で、カットマークを印刷することを特徴とする請求項１０に記載のテープ印刷装置。
【請求項１２】
前記長さαは、α＝ａ＋ｘ−ｔｐで求められることを特徴とする請求項１０または１１に記載のテープ印刷装置。
【請求項１３】
テープを送り出しながら印刷を行った後、その下流側において、テープ先端部を、人間が指先でテープを抓める長さｘ（ｘ＞０）だけ装置外に突出した状態でカットするテープ印刷装置において、
テープを送るテープ送り手段と、
テープに印刷を行う印刷手段と、
前記印刷手段により印刷される印刷データを入力する印刷データ入力手段と、
前記印刷データ入力手段により入力された印刷データに基づき、テープ長ｔｐ（ｔｐ＞０）を算出するテープ長算出手段と、
前記テープ長算出手段により算出されたテープ長ｔｐに基づいてテープをカットする切断手段と、を備え、
前記切断手段は、前記切断手段によりテープをカットする切断位置とテープを装置外に排出する排出口位置との間の長さａ（ａ＞０）に、前記長さｘを加えた長さ（ａ＋ｘ）と、テープ長ｔｐに、前記印刷手段により印刷を行う印刷位置と前記切断位置との間の長さｂ（ｂ≧０）を加えた長さ（ｔｐ＋ｂ）とを比較して、（ａ＋ｘ）≦（ｔｐ＋ｂ）と判断された場合、前記印刷手段により印刷を行うと共に前記テープ送り手段により長さ（ｔｐ＋ｂ）だけテープを送った後、テープ後端部をカットし、
（ａ＋ｘ）＞（ｔｐ＋ｂ）と判断された場合、前記印刷手段により印刷を行うと共に前記テープ送り手段により長さ（ｔｐ＋ｂ）だけテープを送った後、さらに前記テープ送り手段のみにより長さγ｛γ≧（ａ＋ｘ）−（ｔｐ＋ｂ）｝（γ＞０）だけテープを送った後、テープ後端部をカットすることを特徴とするテープ印刷装置。
【請求項１４】
前記印刷データが、印刷対象となるキャラクタデータと、テープの前余白の長さを示す前余白データと、テープの後余白の長さを示す後余白データとで構成されており、前記前余白データが示す長さｔ１（ｔ１≧０）と、前記印刷位置と切断位置との間の長さｂ（ｂ≧０）とを比較して、ｔ１＜ｂと判断された場合、前記印刷手段は、前記テープ送り手段によるテープ送りの前にカットマークを印刷することを特徴とする請求項１３に記載のテープ印刷装置。
【請求項１５】
（ａ＋ｘ）＞（ｔｐ＋ｂ）と判断された場合、前記印刷手段は、前記テープ送り手段により長さ（ｔｐ＋ｂ）だけテープを送った時点で、カットマークを印刷することを特徴とする請求項１３または１４に記載のテープ印刷装置。
【請求項１６】
前記長さγは、γ＝（ａ＋ｘ）−（ｔｐ＋ｂ）で求められることを特徴とする請求項１３、１４または１５に記載のテープ印刷装置。
【請求項１７】
テープを送り出しながら印刷を行った後、テープ先端部を、人間が指先でテープを抓める長さｘ（ｘ＞０）だけ装置外に突出した状態でカットするテープ印刷方法であって、
印刷される印刷データを入力する印刷データ入力工程と、
前記印刷データ入力工程により入力された印刷データに基づき、テープ長ｔｐ（ｔｐ＞０）を算出するテープ長算出工程と、
前記テープ長算出工程によって算出されたテープ長ｔｐに基づいて、テープ長ｔを設定するテープ長設定工程と、
前記テープ長設定工程により設定されたテープ長ｔとなるようにテープをカットする切断工程と、を備え、
前記テープ長設定工程は、算出したテープ長ｔｐと、前記切断工程によりテープをカットする切断位置とテープを装置外に排出する排出口位置との間の長さａ（ａ＞０）に前記長さｘを加えた長さ（ａ＋ｘ）とを比較して、ｔｐ＜（ａ＋ｘ）と判断された場合、ｔ≧（ａ＋ｘ）となるようにテープ長ｔを設定し、
ｔｐ≧（ａ＋ｘ）と判断された場合、ｔ＝ｔｐとしてテープ長ｔを設定することを特徴とするテープ印刷方法。
【請求項１８】
テープを送り出しながら印刷を行った後、テープ先端部を、人間が指先でテープを抓める長さｘ（ｘ＞０）だけ装置外に突出した状態でカットするテープ印刷方法であって、
印刷される印刷データを入力する印刷データ入力工程と、
前記印刷データ入力工程により入力された印刷データに基づき、テープ長ｔｐ（ｔｐ＞０）を算出するテープ長算出工程と、
前記テープ長設定工程により設定されたテープ長ｔｐに基づいてテープをカットする切断工程と、を備え、
前記切断工程は、前記テープ長算出工程により算出されたテープ長ｔｐと、テープをカットする切断位置とテープを装置外に排出する排出口位置との間の長さａ（ａ＞０）に前記長さｘを加えた長さ（ａ＋ｘ）とを比較して、ｔｐ≧（ａ＋ｘ）と判断された場合、前記印刷工程により印刷を行うと共に前記テープ送り工程により長さｔｐだけテープを送った後、テープ後端部をカットし、
ｔｐ＜（ａ＋ｘ）と判断された場合、前記印刷工程により印刷を行うと共に前記テープ送り工程により長さｔｐだけテープを送った後、さらに前記テープ送り工程のみにより長さα｛α≧（ａ＋ｘ−ｔｐ）｝（α＞０）だけテープを送った後、テープ後端部をカットすることを特徴とするテープ印刷方法。
【請求項１９】
テープを送り出しながら印刷を行った後、その下流側において、テープ先端部を、人間が指先でテープを抓める長さｘ（ｘ＞０）だけ装置外に突出した状態でカットするテープ印刷方法において、
印刷される印刷データを入力する印刷データ入力工程と、
前記印刷データ入力工程により入力された印刷データに基づき、テープ長ｔｐ（ｔｐ＞０）を算出するテープ長算出工程と、
前記テープ長算出工程により算出されたテープ長ｔｐに基づいてテープをカットする切断工程と、を備え、
前記切断工程は、前記切断工程によりテープをカットする切断位置とテープを装置外に排出する排出口位置との間の長さａ（ａ＞０）に、前記長さｘを加えた長さ（ａ＋ｘ）と、テープ長ｔｐに、前記印刷工程により印刷を行う印刷位置と前記切断位置との間の長さｂ（ｂ≧０）を加えた長さ（ｔｐ＋ｂ）とを比較して、（ａ＋ｘ）≦（ｔｐ＋ｂ）と判断された場合、前記印刷工程により印刷を行うと共に前記テープ送り工程により長さ（ｔｐ＋ｂ）だけテープを送った後、テープ後端部をカットし、
（ａ＋ｘ）＞（ｔｐ＋ｂ）と判断された場合、前記印刷工程により印刷を行うと共に前記テープ送り工程により長さ（ｔｐ＋ｂ）だけテープを送った後、さらに前記テープ送り工程のみにより長さγ｛γ≧（ａ＋ｘ）−（ｔｐ＋ｂ）｝（γ＞０）だけテープを送った後、テープ後端部をカットすることを特徴とするテープ印刷方法。
【発明の詳細な説明】
【０００１】
【発明の属する技術分野】
本発明は、テープを送り出しながら印刷を行った後、テープ後端部をカットすることで、任意長のテープを作成可能なテープ印刷装置およびテープ印刷方法に関する。
【０００２】
【従来の技術】
従来、ユーザにより文字や記号などのキャラクタが入力されることによって印刷データを作成し、この印刷データに基づいてテープ上に印刷を行うと共に、印刷データに基づいて算出されたテープ長となるようにテープ後端部をカットすることで、任意長のテープ（ラベル）を作成可能なテープ印刷装置が知られている。この種のテープ印刷装置は、テープの排出（自然落下）を確実に行うべく、テープの切断位置と、テープを装置外に排出する排出口位置とはできる限り近い位置に配置されている。
【０００３】
ところが、構造上、若しくは安全上（装置外に切断刃が露出することがないよう）切断位置と排出口位置に所定の長さが生じることがある。例えば図１５に示すように、切断位置と排出口位置に９〔ｍｍ〕の長さが生じる場合を想定すると、同図（ａ）に示すように、印刷データに基づいて算出されたテープ長ｔｐがある程度長い場合は、切断後の装置外へのテープの排出に問題はない（確実に排出が行われる）。しかしながら、同図（ｂ）に示すように、テープ長ｔｐが短い場合は、切断後、テープが装置外に排出されず、装置内に留まってしまうことになる。このような場合、身近にピンセットなどテープの先端部を抓み引き出せるような道具があれば、ユーザが人為的にテープを取り出すことが可能であるが、同図（ｃ）に示すように、テープ長ｔｐが極端に短い場合は、テープを取り出すことが不可能である。また、このようにテープ長ｔｐが極端に短い場合は、テープ先端部を狭持しづらいためテープが上手く切断されず、切断位置においてジャミングを起こす原因となってしまう。
【０００４】
また、近年、ハンディタイプのテープ印刷装置も見られるが、いつでもどこでも気軽に利用できるはずの装置において、このようにテープが排出されないなどの不具合が生じるようでは、不便きわまりない。まして、電気工事など、高所での作業中に作業者が、このハンディタイプの印刷装置を用いるような場合は、切断後のテープが落下しないようにテープ先端部を指で抓んでおく必要があるが、同図（ｂ）や（ｃ）に示すように、先端部を指で抓むことが出来ない場合は、実質使用不可能である（特に（ｂ）の場合は、テープが落下する危険性がある）。
【０００５】
【発明が解決しようとする課題】
本発明は、上記の問題に鑑み、切断後のテープを確実に装置外に排出可能なテープ印刷装置およびテープ印刷方法を提供することを目的とする。
【０００６】
【課題を解決するための手段】
本発明のテープ印刷装置は、テープを送り出しながら印刷を行った後、テープ先端部を、人間が指先でテープを抓める長さｘ（ｘ＞０）だけ装置外に突出した状態でカットするテープ印刷装置であって、テープを送るテープ送り手段と、テープに印刷を行う印刷手段と、印刷手段により印刷される印刷データを入力する印刷データ入力手段と、印刷データ入力手段により入力された印刷データに基づき、テープ長ｔｐ（ｔｐ＞０）を算出するテープ長算出手段と、テープ長算出手段によって算出されたテープ長ｔｐに基づいて、テープ長ｔを設定するテープ長設定手段と、テープ長設定手段により設定されたテープ長ｔとなるようにテープをカットする切断手段と、を備え、テープ長設定手段は、算出したテープ長ｔｐと、切断手段によりテープをカットする切断位置とテープを装置外に排出する排出口位置との間の長さａ（ａ＞０）に長さｘを加えた長さ（ａ＋ｘ）とを比較して、ｔｐ＜（ａ＋ｘ）と判断された場合、ｔ≧（ａ＋ｘ）となるようにテープ長ｔを設定し、ｔｐ≧（ａ＋ｘ）と判断された場合、ｔ＝ｔｐとしてテープ長ｔを設定することを特徴とする。
【０００７】
また、本発明のテープ印刷方法は、テープを送り出しながら印刷を行った後、テープ先端部を、人間が指先でテープを抓める長さｘ（ｘ＞０）だけ装置外に突出した状態でカットするテープ印刷方法であって、印刷される印刷データを入力する印刷データ入力工程と、印刷データ入力工程により入力された印刷データに基づき、テープ長ｔｐ（ｔｐ＞０）を算出するテープ長算出工程と、テープ長算出工程によって算出されたテープ長ｔｐに基づいて、テープ長ｔを設定するテープ長設定工程と、テープ長設定工程により設定されたテープ長ｔとなるようにテープをカットする切断工程と、を備え、テープ長設定工程は、算出したテープ長ｔｐと、切断工程によりテープをカットする切断位置とテープを装置外に排出する排出口位置との間の長さａ（ａ＞０）に長さｘを加えた長さ（ａ＋ｘ）とを比較して、ｔｐ＜（ａ＋ｘ）と判断された場合、ｔ≧（ａ＋ｘ）となるようにテープ長ｔを設定し、ｔｐ≧（ａ＋ｘ）と判断された場合、ｔ＝ｔｐとしてテープ長ｔを設定することを特徴とする。
【０００８】
これらの構成によれば、入力された印刷データに基づいて算出されたテープ長ｔｐ（ｔｐ＞０）と、テープをカットする切断位置とテープを装置外に排出する排出口位置との間の長さａに、テープ先端部を、人間が指先でテープを抓める長さｘ（ｘ＞０）を加えた長さ（ａ＋ｘ）とを比較して、ｔｐ＜（ａ＋ｘ）と判断された場合、ｔ≧（ａ＋ｘ）となるようにテープ長ｔを変更して設定するため、常にテープ長ｔは、切断位置と排出口位置間の長さａに長さｘを加えた長さ以上の長さに変更して設定される。すなわち、印刷データに基づいて算出されたテープ長ｔｐが短くとも、ｔ≧（ａ＋ｘ）となるようにテープ長ｔが変更されるため、切断時において、テープの先端が少なくとも長さｘだけ排出された状態となる。したがって、確実にテープを装置外に排出することができる。
【０００９】
この場合、印刷データ入力手段は、印刷データとして、印刷対象となるキャラクタデータと、テープの前余白の長さを示す前余白データと、テープの後余白の長さを示す後余白データとを入力可能であることが好ましい。
【００１０】
この構成によれば、印刷対象となるキャラクタと、前余白の長さと、後余白の長さを入力することができる。すなわち、キャラクタ以外に、ユーザの好みに応じて、前余白および後余白の長さを設定することができる。なお、キャラクタとは、文字、記号、図形および装飾等を指すものである。
【００１１】
この場合、印刷データ入力手段は、印刷対象となるキャラクタデータを入力するものであり、印刷データは、当該キャラクタデータと、それぞれテープの前余白および後余白の所定長さを示す前余白データおよび後余白データとで構成されることが好ましい。
【００１２】
この構成によれば、印刷対象となるキャラクタを入力可能であり、前余白の長さと後余白の長さは、所定の長さに設定される。すなわち、前余白および後余白の長さを設定する必要がないため、印刷データの入力の手間を省くことができ、操作を簡素化することができる。
【００１３】
この場合、テープ上において、キャラクタデータに基づいて印刷されるキャラクタ部分の配置位置を設定するキャラクタ位置設定手段を更に備え、キャラクタ位置設定手段によって設定されたキャラクタ位置にしたがって、前余白データおよび後余白データが示すそれぞれの所定長さが設定されることが好ましい。
【００１４】
この構成によれば、キャラクタ部分の配置位置を、ユーザの好みに応じて設定することができる。また、この場合、設定したキャラクタ位置にしたがって、前余白および後余白の長さが設定されるため、これらの設定の手間を省くことができる。
【００１５】
この場合、キャラクタ部分の配置位置には、前寄せ、後寄せ、センタリングのうち、少なくとも１つの配置位置が含まれることが好ましい。
【００１６】
この構成によれば、配置位置として、前寄せ（前余白＜後余白）、後寄せ（前余白＞後余白）、センタリング（前余白＝後余白）のうち、少なくとも１つを設定することができる。
【００１７】
上記において、テープ長設定手段は、ｔｐ＜（ａ＋ｘ）と判断された場合、前余白データまたは後余白データのいずれか一方が示す長さに、長さα｛α≧（ａ＋ｘ−ｔｐ）｝（α＞０）を加えることで、ｔ≧（ａ＋ｘ）となるようにテープ長ｔを設定することが好ましい。
【００１８】
この構成によれば、ｔｐ＜（ａ＋ｘ）と判断された場合、前余白または後余白の長さに、長さ｛α≧（ａ＋ｘ−ｔｐ）｝を加えることで、ｔ≧（ａ＋ｘ）となるようにテープ長ｔを設定することができる。すなわち、前後いずれかの余白を長さαだけ長くなるように設定することで、常にテープ長ｔが切断位置と排出口位置間の長さａに所定長ｘを加えた長さより長くなるため、確実にテープを装置外に排出することができる。
【００１９】
この場合、長さαは、α＝ａ＋ｘ−ｔｐで求められることが好ましい。
【００２０】
この構成によれば、常に、テープ先端部が排出口位置から長さｘだけ排出されるように設定することができる。すなわち、確実にテープを装置外に排出するための、テープ先端排出長さ（ｘ）を設定することができる。
【００２１】
上記において、テープ長設定手段は、ｔｐ＜（ａ＋ｘ）と判断された場合、前余白データまたは後余白データが示す長さに、それぞれ長さβ［β≧｛（ａ＋ｘ−ｔｐ）／２｝］を加えることで、ｔ≧（ａ＋ｘ）となるようにテープ長ｔを設定することが好ましい。
【００２２】
この構成によれば、ｔｐ＜（ａ＋ｘ）と判断された場合、前余白および後余白の長さに、長さβ［β≧｛（ａ＋ｘ−ｔｐ）／２｝］（β＞０）を加えることで、ｔ≧（ａ＋ｘ）となるようにテープ長ｔを設定することができる。すなわち、前後それぞれの余白長さに長さβを加えることで、常にテープ長ｔが切断位置と排出口位置間の長さａに長さｘを加えた長さより長くなるため、確実にテープを装置外に排出することができる。また、前後の余白長さが同一となるため、見栄えの良いテープを作成することができる。
【００２３】
この場合、長さβは、β＝（ａ＋ｘ−ｔｐ）／２で求められることが好ましい。
【００２４】
この構成によれば、常に、テープ先端部が排出口位置から長さｘだけ排出されるように設定することができる。すなわち、確実にテープを装置外に排出するための、テープ先端排出長さ（ｘ）を設定することができる。
【００２７】
本発明の他のテープ印刷装置は、テープを送り出しながら印刷を行った後、テープ先端部を、人間が指先でテープを抓める長さｘ（ｘ＞０）だけ装置外に突出した状態でカットするテープ印刷装置であって、テープを送るテープ送り手段と、テープに印刷を行う印刷手段と、印刷手段により印刷される印刷データを入力する印刷データ入力手段と、印刷データ入力手段により入力された印刷データに基づき、テープ長ｔｐ（ｔｐ＞０）を算出するテープ長算出手段と、テープ長算出手段により算出されたテープ長ｔｐに基づいてテープをカットする切断手段と、を備え、切断手段は、テープ長算出手段により算出されたテープ長ｔｐと、テープをカットする切断位置とテープを装置外に排出する排出口位置との間の長さａ（ａ＞０）に長さｘを加えた長さ（ａ＋ｘ）とを比較して、ｔｐ≧（ａ＋ｘ）と判断された場合、印刷手段により印刷を行うと共にテープ送り手段により長さｔｐだけテープを送った後、テープ後端部をカットし、ｔｐ＜（ａ＋ｘ）と判断された場合、印刷手段により印刷を行うと共にテープ送り手段により長さｔｐだけテープを送った後、さらにテープ送り手段のみにより長さα｛α≧（ａ＋ｘ−ｔｐ）｝（α＞０）だけテープを送った後、テープ後端部をカットすることを特徴とする。
【００２８】
また、本発明の他のテープ印刷方法は、テープを送り出しながら印刷を行った後、テープ先端部を、人間が指先でテープを抓める長さｘ（ｘ＞０）だけ装置外に突出した状態でカットするテープ印刷方法であって、印刷される印刷データを入力する印刷データ入力工程と、印刷データ入力工程により入力された印刷データに基づき、テープ長ｔｐ（ｔｐ＞０）を算出するテープ長算出工程と、テープ長算出工程により算出されたテープ長ｔｐに基づいてテープをカットする切断工程と、を備え、切断工程は、テープ長算出工程により算出されたテープ長ｔｐと、テープをカットする切断位置とテープを装置外に排出する排出口位置との間の長さａ（ａ＞０）に長さｘを加えた長さ（ａ＋ｘ）とを比較して、ｔｐ≧（ａ＋ｘ）と判断された場合、印刷工程により印刷を行うと共にテープ送り工程により長さｔｐだけテープを送った後、テープ後端部をカットし、ｔｐ＜（ａ＋ｘ）と判断された場合、印刷工程により印刷を行うと共にテープ送り工程により長さｔｐだけテープを送った後、さらにテープ送り工程のみにより長さα｛α≧（ａ＋ｘ−ｔｐ）｝（α＞０）だけテープを送った後、テープ後端部をカットすることを特徴とする。
【００２９】
これらの構成によれば、入力された印刷データに基づいて算出されたテープ長ｔｐと、テープをカットする切断位置とテープを装置外に排出する排出口位置との間の長さａに、テープ先端部を、人間が指先でテープを抓める長さｘ（ｘ＞０）を加えた長さ（ａ＋ｘ）とを比較して、ｔｐ≧（ａ＋ｘ）と判断された場合、印刷を行うと共に長さｔｐだけテープを送った後、テープ後端部をカットし、ｔｐ＜（ａ＋ｘ）と判断された場合、印刷を行うと共に長さｔｐだけテープを送った後、さらに長さα｛α≧（ａ＋ｘ−ｔｐ）｝だけテープを送った後、テープ後端部をカットする。すなわち、いずれにしても、合計テープ送り長さは長さ（ａ＋ｘ）以上となり、常に切断位置と排出口位置間の長さａに長さｘを加えた長さ以上分のテープが送られる。したがって、印刷データに基づいて算出されたテープ長ｔｐが短くとも、印刷後に長さα｛α≧（ａ＋ｘ−ｔｐ）｝だけテープが送られるため、切断時において、テープの先端が少なくとも長さｘだけ排出された状態となる。すなわち、確実にテープを装置外に排出することができる。
【００３０】
上記において、ｔｐ＜（ａ＋ｘ）と判断された場合、印刷手段は、テープ送り手段により長さｔｐだけテープを送った時点で、カットマークを印刷することが好ましい。
【００３１】
この構成によれば、ｔｐ＜（ａ＋ｘ）と判断された場合、長さｔｐだけテープを送った時点でカットマークを印刷するため、印刷後のテープの後端部をカットマークに合わせてカットすることで見栄えの良いテープを作成することができる。すなわち、ｔｐ＜（ａ＋ｘ）と判断された場合は、テープ後端部に、長さ｛（ａ＋ｘ）−ｔｐ｝分の不要部分（テープ長ｔｐ以外の部分）が生じてしまうが、その不要部分の開始位置にカットマークを印刷することで、不要部分を正確な長さでカットすることができる。また、カットマークを、切断線に沿って直線となるように印刷すれば、幅広のテープを使用する場合、テープ先端部を直線的に見栄えよくカットすることができる。
【００３２】
この場合、長さαは、α＝ａ＋ｘ−ｔｐで求められることが好ましい。
【００３３】
この構成によれば、常に、テープ先端部が排出口位置から長さｘだけ排出された状態でテープをカットすることができる。すなわち、確実にテープを装置外に排出するための、テープ先端排出長さ（ｘ）を設定することができる。
【００３６】
本発明の他のテープ印刷装置は、テープを送り出しながら印刷を行った後、その下流側において、テープ先端部を、人間が指先でテープを抓める長さｘ（ｘ＞０）だけ装置外に突出した状態でカットするテープ印刷装置において、テープを送るテープ送り手段と、テープに印刷を行う印刷手段と、印刷手段により印刷される印刷データを入力する印刷データ入力手段と、印刷データ入力手段により入力された印刷データに基づき、テープ長ｔｐ（ｔｐ＞０）を算出するテープ長算出手段と、テープ長算出手段により算出されたテープ長ｔｐに基づいてテープをカットする切断手段と、を備え、切断手段は、切断手段によりテープをカットする切断位置とテープを装置外に排出する排出口位置との間の長さａ（ａ＞０）に、長さｘを加えた長さ（ａ＋ｘ）と、テープ長ｔｐに、印刷手段により印刷を行う印刷位置と切断位置との間の長さｂ（ｂ≧０）を加えた長さ（ｔｐ＋ｂ）とを比較して、（ａ＋ｘ）≦（ｔｐ＋ｂ）と判断された場合、印刷手段により印刷を行うと共にテープ送り手段により長さ（ｔｐ＋ｂ）だけテープを送った後、テープ後端部をカットし、（ａ＋ｘ）＞（ｔｐ＋ｂ）と判断された場合、印刷手段により印刷を行うと共にテープ送り手段により長さ（ｔｐ＋ｂ）だけテープを送った後、さらにテープ送り手段のみにより長さγ｛γ≧（ａ＋ｘ）−（ｔｐ＋ｂ）｝（γ＞０）だけテープを送った後、テープ後端部をカットすることを特徴とする。
【００３７】
また、本発明の他のテープ印刷方法は、テープを送り出しながら印刷を行った後、その下流側において、テープ先端部を、人間が指先でテープを抓める長さｘ（ｘ＞０）だけ装置外に突出した状態でカットするテープ印刷方法において、印刷される印刷データを入力する印刷データ入力工程と、印刷データ入力工程により入力された印刷データに基づき、テープ長ｔｐ（ｔｐ＞０）を算出するテープ長算出工程と、テープ長算出工程により算出されたテープ長ｔｐに基づいてテープをカットする切断工程と、を備え、切断工程は、切断工程によりテープをカットする切断位置とテープを装置外に排出する排出口位置との間の長さａ（ａ＞０）に、長さｘを加えた長さ（ａ＋ｘ）と、テープ長ｔｐに、印刷工程により印刷を行う印刷位置と切断位置との間の長さｂ（ｂ≧０）を加えた長さ（ｔｐ＋ｂ）とを比較して、（ａ＋ｘ）≦（ｔｐ＋ｂ）と判断された場合、印刷工程により印刷を行うと共にテープ送り工程により長さ（ｔｐ＋ｂ）だけテープを送った後、テープ後端部をカットし、（ａ＋ｘ）＞（ｔｐ＋ｂ）と判断された場合、印刷工程により印刷を行うと共にテープ送り工程により長さ（ｔｐ＋ｂ）だけテープを送った後、さらにテープ送り工程のみにより長さγ｛γ≧（ａ＋ｘ）−（ｔｐ＋ｂ）｝（γ＞０）だけテープを送った後、テープ後端部をカットすることを特徴とする。
【００３８】
これらの構成によれば、テープをカットする切断位置とテープを装置外に排出する排出口位置との間の長さａに、テープ先端部を、人間が指先でテープを抓める長さｘ（ｘ＞０）を加えた長さ（ａ＋ｘ）と、テープ長ｔｐに、印刷を行う印刷位置と切断位置との間の長さｂを加えた長さ（ｔｐ＋ｂ）を比較して、（ａ＋ｘ）≦（ｔｐ＋ｂ）と判断された場合、印刷を行うと共に長さ（ｔｐ＋ｂ）だけテープを送った後、テープ後端部をカットし、（ａ＋ｘ）＞（ｔｐ＋ｂ）と判断された場合、印刷を行うと共に長さ（ｔｐ＋ｂ）だけテープを送った後、さらに長さγ｛γ≧（ａ＋ｘ）−（ｔｐ＋ｂ）｝だけテープを送った後、テープ後端部をカットする。すなわち、いずれにしても、合計テープ送り長さは（ａ＋ｘ）以上となり、常に切断位置と排出口位置間の長さａに長さｘを加えた長さ以上分のテープが送られる。したがって、印刷データに基づいて算出されたテープ長ｔｐが短くとも、印刷後に長さγ｛γ≧（ａ＋ｘ）−（ｔｐ＋ｂ）｝だけテープが送られるため、切断時において、テープの先端が少なくとも長さｘだけ排出された状態となる。すなわち、確実にテープを装置外に排出することができる。
【００３９】
この場合、印刷データが、印刷対象となるキャラクタデータと、テープの前余白の長さを示す前余白データと、テープの後余白の長さを示す後余白データとで構成されており、前余白データが示す長さｔ１（ｔ１≧０）と、印刷位置と切断位置との間の長さｂ（ｂ≧０）とを比較して、ｔ１＜ｂと判断された場合、印刷手段は、テープ送り手段によるテープ送りの前にカットマークを印刷することが好ましい。
【００４０】
この構成によれば、印刷データが、印刷対象となるキャラクタデータと、テープの前余白の長さを示す前余白データと、テープの後余白の長さを示す後余白データとで構成されており、前余白データが示す長さｔ１と、印刷位置と切断位置との間の長さｂとを比較して、ｔ１＜ｂと判断された場合、テープ送りの前にカットマークを印刷するため、印刷後のテープの先端部をカットマークに合わせてカットすることで見栄えの良いテープを作成することができる。すなわち、印刷が切断位置よりも上流側で行われる場合であって、且つ前余白データが示す長さｔ１が、印刷位置と切断位置との間の長さｂよりも短い場合は、テープの先端部に長さｂ分の不要部分（テープ長ｔｐ以外の部分）が生じてしまうが、その不要部分の終了位置にカットマークを印刷することで、不要部分を正確な長さでカットすることができる。また、カットマークを、切断線に沿って直線となるように印刷すれば、幅広のテープを使用する場合、テープ先端部を直線的に見栄えよくカットすることができる。
【００４１】
上記において、（ａ＋ｘ）＞（ｔｐ＋ｂ）と判断された場合、印刷手段は、テープ送り手段により長さ（ｔｐ＋ｂ）だけテープを送った時点で、カットマークを印刷することが好ましい。
【００４２】
この構成によれば、（ａ＋ｘ）＞（ｔｐ＋ｂ）と判断された場合、長さ（ｔｐ＋ｂ）だけテープを送った時点でカットマークを印刷するため、印刷後のテープの後端部をカットマークに合わせてカットすることで見栄えの良いテープを作成することができる。すなわち、（ａ＋ｘ）＞（ｔｐ＋ｂ）と判断された場合は、テープ後端部に、長さ｛（ａ＋ｘ）−（ｔｐ＋ｂ）｝分の不要部分（テープ後端部におけるテープ長ｔｐ以外の部分）が生じてしまうが、その不要部分の開始位置にカットマークを印刷することで、不要部分を正確な長さでカットすることができる。また、カットマークを、切断線に沿って直線となるように印刷すれば、幅広のテープを使用する場合、テープ先端部を直線的に見栄えよくカットすることができる。
【００４３】
これらの場合、長さγは、γ＝（ａ＋ｘ）−（ｔｐ＋ｂ）で求められることが好ましい。
【００４４】
この構成によれば、常に、テープ先端部が長さｘだけ排出された状態でテープをカットすることができる。すなわち、確実にテープを装置外に排出するための、テープ先端排出長さ（ｘ）を設定することができる。
【００４７】
なお、上記において、切断手段が、カッタ刃とこれを保持する保持部とで構成され、当該カッタ刃と保持部の間に送られたテープを、当該カッタ刃の駆動による押し切り形式でカットする場合、テープをカットする切断位置とテープを装置外に排出する排出口位置との間には、切断動作に伴うテープの位置ずれを防止するためにテープを挟み込むテープ押え手段を更に備えても良い。
【００４８】
この構成によれば、テープが押し切り形式でカットされる場合、切断動作に伴って生じる押し切り力により、テープが位置ずれを起こす可能性があるが、これを防止するためのテープ押え手段を備えているため、テープを安定してカットすることができる。また、このテープ印刷装置がハンディタイプであって、電気工事など高所での作業中に使用するような場合でも、切断時においてテープが挟み込まれるため、テープＴが落下することがない。
【００４９】
また、この場合、テープ押え手段は、カッタ刃が保持部に接触する切断動作に先行してテープを挟み込み、切断動作の終了後、カッタ刃が保持部と離間する戻り動作に後行して、挟み込みを解除しても良い。
【００５０】
この構成によれば、切断動作に先行してテープを挟み込むため、より安定したテープカットを行うことができる。また、切断動作の終了後、カッタ刃が保持部と離間する戻り動作に後行して挟み込みを解除するため、切断動作を行う際に、テープの装置外に排出された部分を指で抓んでおけば、確実にテープを取り出す（排出する）ことができる。
【００５１】
また、これらの場合、テープは、ロール状に巻回された状態でカートリッジ内に収容されており、当該カートリッジを収容可能なカートリッジ装着部を備えても良い。
【００５２】
この構成によれば、テープがロール状に巻回された状態でカートリッジ内に収容されているため、装置構成をコンパクトにすることができる。
【００５３】
【発明の実施の形態】
以下、添付図面に基づいて、本発明の一実施形態に係るテープ印刷装置およびテープ印刷方法について説明する。本発明のテープ印刷装置は、テープを収容したテープカートリッジを着脱自在に装着し、テープカートリッジからテープを送り出しながら、ユーザによって入力された印刷データに基づいて、文字、記号、図形および装飾等の印刷を行い、その印刷済み部分を印刷データに基づいて算出したテープ長となるように切断して、ラベルを作成するものである。
【００５４】
また、このとき、算出したテープ長ｔｐ（ｔｐ＞０）が、最低テープ長ｔ０（ｔ０＞０：テープの切断位置とテープを装置外に排出する排出口位置１５ａ間の長さａ（ａ＞０）に所定長ｘ（ｘ＞０）を加えた長さ（ａ＋ｘ））以下であると判断した場合には、作成されるテープ長ｔの設定変更やテープ送り機構を制御することにより、確実にテープ（ラベル）を装置外に排出させ得るものである。なお、以下の説明において、長さを示すアルファベットについては、図５を参照されたい。
【００５５】
そこで、まず、図１ないし図３を参照して、テープ印刷装置１の装置構成について説明する。図１は、テープ印刷装置１の全体斜視図であり、図２は、テープ印刷装置１の装置ケースを省略してテープ印刷装置１を裏側から見た全体底面図である。また、図３は、テープ印刷装置１の全体断面図である。これらの図に示すように、テープ印刷装置１は、装置ケース２により外殻を形成した装置本体３と、装置本体３に着脱自在に装着したテープカートリッジ４とで構成され、このテープカートリッジ４内に印刷対象物となる剥離紙付きのテープＴが繰り出し自在に収容されている。
【００５６】
装置ケース２は、全体として平面視卵形に形成され、上面を構成する上ケース５と、上ケース５に溶着した中間に位置する中ケース６と、下面を構成する下ケース７とで構成されている。そして、下ケース７は、中ケース６に対し取り外し可能に構成されており、下側から装置ケース２内に装着したテープカートリッジ４および電池８の蓋体を兼ねている。
【００５７】
装置本体３には、装置ケース２の上面に広く入力手段となる複数のキーからなるキーボード１０が配設されると共に、キーボード１０の奥側には、印刷される文字等の情報を表示するディスプレイ１１とが配設されている。
【００５８】
キーボード１０には、アルファベットキー群、記号キー群、数字キー群、平仮名や片仮名等の仮名キー群、および外字を呼び出して選択するための外字キー群等を含む文字キー群１０ａの他、各種の動作モードなどを指定するための機能キー群１０ｂなどが配列されている。機能キー群１０ｂには、電源キー、印刷動作を指示するための印刷キー、テキスト入力時のデータ確定や改行および選択画面における各種モードの選択指示のための選択キー、前余白および後余白の長さを設定する余白長設定キー、並びに、それぞれ左（「←」）、右（「→」）方向へのカーソル移動やディスプレイ１１の表示範囲を移動させるためカーソルキー、各種指示を取り消すための取消キー等が含まれる。
【００５９】
装置ケース２の右後部には、装置ケース２の外側に突出すると共に、装置ケース２の右側面に沿って前方に湾曲して延在する手動操作レバー１２が取り付けられている。さらに、装置本体３の下ケース７の内側には、手前および奥側にそれぞれ３本、計６本の電池８を段違いに収容する電池収容部１３と、奥側にテープカートリッジ４を着脱自在に収容するカートリッジ装着部１４とが形成されている。
【００６０】
また、装置ケース２の後側面中間部には、印刷済みのテープＴを装置外部に送り出すためのスリット状のテープ排出口１５が上下方向に延在するように形成されている（排出口位置１５ａ）。このテープ排出口１５とカートリッジ装着部１４とは連通しており、テープ排出口１５とカートリッジ装着部１４との間には、テープ排出口１５に臨むようにしてカッタ１６が配設されている（切断位置１６ａ）。そして、上記の手動操作レバー１２を操作することで、カッタ１６が切断動作し、テープ排出口１５から繰り出されたテープＴを任意の長さに切断して、ラベルが作成される。そして、手動操作レバー１２およびカッタ１６、後述するテープ押え部材３１、回動アーム３２により、テープ切断機構３０が構成されている。
【００６１】
このように構成された装置本体３は、全体として所定の厚みを有して形成されており、片手で簡単に把持して持ち運び可能となるように、小型に形成されている。また、使用に際しては、装置本体３を両手で包み込むように把持した状態で、両手の親指等でキーボード１０をキー操作することで所望の文字等を入力するようにする。さらに、印刷完了後において、テープＴを切断する場合には、この把持した状態で、右手人差し指或いは中指等で手動操作レバー１２を手前内側に回動操作する。
【００６２】
図２および図３に示すように、カートリッジ装着部１４には、左中央部にテープカートリッジ４の装着を案内するガイド突起１７と、テープカートリッジ４の被駆動部に回転動力を付与するプラテン駆動軸１８およびリボン巻取軸１９と、プラテン駆動軸１８に対峙して印刷ヘッド２２を備えたヘッドユニット２０とが垂設されている。カートリッジ装着部１４の上側空間にはベースフレーム２１が配設されており、ベースフレーム２１には、プラテン駆動軸１８およびリボン巻取軸１９を回転させるモータを有するテープ送り機構（図示省略）が支持されていると共に、カッタ１６およびテープ押え部材３１がスライド自在に支持されている（詳細は後述する）。
【００６３】
一方、テープカートリッジ４には、テープリール１７ａに巻回されたテープＴの他、テープＴと同様にその幅方向を上下に位置させた縦姿勢で長手方向に沿って送られるインクリボンＲ、プラテン駆動軸１８に係合するプラテン１８ａなどが搭載されている。また、プラテン１８ａの近傍には、装置本体３側の印刷ヘッド２２が臨むヘッド開口９が形成されている。インクリボンＲは、プラテン１８ａ（印刷ヘッド２２）の位置（印刷位置２２ａ）でテープＴに重なって併走し、その後、リボン巻取軸１９が係合するリボン巻取リール１９ａに巻き取られる。一方、テープＴは、テープカートリッジ４のケース側部に形成したスリット開口を通過して、テープ排出口１５から送り出される。なお、テープカートリッジ４には、収容するテープＴの幅として、６〔ｍｍ〕、９〔ｍｍ〕、１２〔ｍｍ〕および１８〔ｍｍ〕の４種類のものが用意されている。
【００６４】
ユーザがこのテープ印刷装置１を使用する場合には、まず、装置本体３を裏側に反転して下ケース７を取り外し、カートリッジ装着部１４にテープカートリッジ４を装着する。テープカートリッジ４をカートリッジ装着部１４に装着すると、テープＴの繰り出し端部およびインクリボンＲがプラテン１８ａおよび印刷ヘッド２２の間に挿入され、且つプラテン１８ａがプラテン駆動軸１８に、リボン巻取リールがリボン巻取軸１９に係合する。そして、下ケース７を中ケース６に取り付けると、テープＴおよびインクリボンＲを挟むように、印刷ヘッド２２が回動して、プラテン１８ａに当接し印刷待機状態となる。
【００６５】
次に、装置本体３を表裏反転させ、これを両手に把持した状態で入力の準備を行う。ここで、電源キーを押釦してＯＮし、ディスプレイ１１を参照しながらキーボード１０を操作して、まずテープカートリッジ４の種別情報を入力する。テープカートリッジ４の種別認識後、キーボード１０を操作して、所望の文字等を入力・編集し、印刷実行を指令する。
【００６６】
印刷実行が指令されると、テープＴおよびインクリボンＲが同時に送られ、印刷ヘッド２２が適宜発熱駆動することにより、インクリボンＲのインクが熱転写してテープＴに印刷が行われる。印刷後のインクリボンＲは、テープカートリッジ４内で巻き取られるが、印刷後のテープＴは、テープ排出口１５（排出口位置１５ａ）から送り出されてゆく。テープＴの送り停止を待って、ユーザにより手動操作レバー１２のレバー操作が為されると、テープＴの印刷済み部分が切り落とされる。詳細は後述するが、テープＴの実際の切断動作では、スライド移動したテープ押え部材３１がテープＴを挟み込んで押えた後、後行してスライド移動してきたカッタ１６により、テープＴの印刷済み部分が切り落とされる。
【００６７】
ここで、図３を参照して、上述のテープ切断機構３０について説明する。このテープ切断機構３０は、同図に示すように、テープ排出口１５に臨んで左右方向にスライド自在であってカッタ刃３３（斜刃）を有するカッタ１６と、カッタ１６の後側に重なってカッタ１６と共にスライドするテープ押え部材３１と、カッタ１６を切断動作させる手動操作レバー１２（図２参照）と、手動操作レバー１２とカッタ１６との間に介設した回動アーム３２と、で構成されている。このテープ切断機構３０は、手動操作レバー１２のレバー操作により回動アーム３２が回動し、この回動アーム３２によりカッタ１６およびテープ押え部材３１がスライドして、テープＴを押えた状態で押切り式の切断が行われる。
【００６８】
次に、カッタ１６とテープ押え部材３１とによる、印刷後のテープＴへの切断動作について簡単に説明する。回動アーム３２を介して手動操作レバー１２からテープ切断機構３０に押込み力を伝達されると、カッタ１６と共にテープ押え部材３１が先方（図示右側）にスライド移動を開始する。カッタ刃３３の先端に対しテープ押え部材３１のテープ押え面部６６は、スライド方向（切断方向）にわずかに突出しており、この移動に伴って、カッタ刃３３に先行するようにテープ押え部材３１が、テープＴを押し挟むようにして度あたり部に突き当たる。これにより、テープ押え部材３１は移動を停止するが、カッタ１６はばね５６（図２参照）を押し縮めるようにして、テープＴに切り込んでゆく。
【００６９】
その際、カッタ刃（斜刃）３３は、テープＴを幅方向上から下に向かって、押切り形式で徐々に切り込んでゆき、テープＴを切断する。このとき、送り方向下流側で、テープ押え部材３１が、押し縮められたばね５６の付勢力によりテープＴを強く挟み込んで押えているため、テープＴを安定して切断することができる。カッタ刃３３の刃先が通過スリット２９の位置をオーバーランしてテープＴが完全に切断されると、手動操作レバー１２が度あたり状態となり、更なる切込み動作が阻止される。
【００７０】
ここでユーザが手動操作レバー１２を戻すと、カッタ１６がテープ押え部材３１に先行して戻り動作に移行し、所定のカッタ戻り終端位置までスライドした後、今度はテープ押え部材３１を伴って、回動アーム３２の基部に取り付けられたコイルバネ８４の回転力により、戻り方向（図示左側）にスライド移動する。そして、テープ押え部材３１の上下に形成された一対のガイド片部が、カッタ支持フレーム２４に形成された一対のガイド溝の終端に達して、戻り方向にスライド移動が停止する。また、テープ押え部材３１がテープＴから離れた瞬間に、テープＴ（ラベル）がその自重によりテープ排出口１５から落下する。なお、作成されたテープＴのテープ長ｔが短い場合（排出口位置１５ａからの露出長さが短い場合）は、ユーザがテープＴの先端部を指で抓んだ状態で、切断動作を行うことが好ましい。この構成によれば、確実にテープＴを装置外に排出させることができる。
【００７１】
なお、本発明のテープ印刷装置１は、種々の制御により、印刷後確実にテープＴの先端部の所定長ｘを、排出口位置１５ａから装置外に露出させることが可能である。すなわち、所定長ｘとは、切断時において、排出口位置１５ａからのテープ先端排出長さを示す値であり、図３に示すように、人間が指先でテープＴを抓める長さ（抓み代の長さ；例えば、９〔ｍｍ〕）を想定したものである。したがって、切断動作を行う際に、ユーザはテープＴの先端部を指で抓むことができる。
【００７２】
また、詳細については後述するが、排出口位置１５ａと、カッタ１６によりテープを切断する切断位置１６ａとの間の長さ「ａ」、並びに、切断位置１６ａと、印刷ヘッド２２とプラテン１８ａが当接する印刷位置２２ａとの間の長さ「ｂ」についても、同図に示すとおりである。
【００７３】
次に、テープ印刷装置１の制御構成について説明する。図４に示すように、テープ印刷装置１は、基本的な構成として、キーボード１０やディスプレイ１１を有してユーザとのインタフェースを行う操作部１１０、印刷ヘッド２２やテープ送りモータ２３を有してテープカートリッジ４から繰り出されたテープＴに印刷を行う印刷部１２０、ディスプレイドライバ１３１と、ヘッドドライバ１３２と、モータドライバ１３３等を有して各部を駆動する駆動部１３０、およびテープ印刷装置１内の各部を制御する制御部２００を備えている。
【００７４】
制御部２００は、ＲＡＭ２４０や周辺制御回路（Ｐ−ＣＯＮ）２５０を内蔵するＣＰＵ２１０と、ＲＯＭ２２０とを備え、互いに内部接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２およびキャラクタジェネレータＲＯＭ（ＣＧ−ＲＯＭ）領域２２３を有している。ＣＧ−ＲＯＭ領域２２３は、文字、記号、図形等のフォントデータを記憶していて、文字等を特定するコードデータが与えられたときに、対応するフォントデータを出力する。
【００７５】
ＲＡＭ２４０は、電源がオフにされても、記憶したデータを保持しておくように図外のバックアップ回路によって電源の供給を受けており、各種レジスタ群２４１や、ユーザがキーボード１０から入力した文字等のテキストデータを記憶する編集テキストデータ領域２４２、ディスプレイ１１の表示画像データを記憶する表示画像データ領域２４３、印刷画像データを記憶する印刷画像データ領域２４４の他、印刷バッファや色変換バッファなどの各種バッファ領域２４５などの領域を有して、制御処理のための作業領域として使用される。
【００７６】
Ｐ−ＣＯＮ２５０には、周辺回路とのインタフェース信号を取り扱うための論理回路が組み込まれ、キーボード１０と接続されて、各種指令や入力データなどをそのままあるいは加工して取り込むとともに、データや制御信号を、そのままあるいは加工して駆動部１３０に出力する。
【００７７】
そして、ＣＰＵ２１０は、上記の構成により、ＲＯＭ２２０内の制御プログラムにしたがって、Ｐ−ＣＯＮ２５０に各種指令、各種データ等を入力し、ＲＡＭ２４０内の各種データ等を処理すると共に、Ｐ−ＣＯＮ２５０から駆動部１３０に制御信号を出力することにより、テープ送りモータ２３の駆動制御やディスプレイ１１の表示制御等を行うとともに、印刷ヘッド２２を制御して所定の印刷条件でテープＴに印刷するなど、テープ印刷装置１全体を制御している。
【００７８】
次に、図６ないし図１２を参照し、本発明のテープ印刷方法について説明する。前述の通り、本発明は、ユーザによって入力された印刷データに基づいてテープ長ｔｐ（ｔｐ＞０）を算出し、算出したテープ長ｔｐと、最低テープ長ｔ０（ｔ０＞０：テープＴの切断位置１６ａとテープＴを装置外に排出する排出口位置１５ａ間の長さａ（ａ＞０）に所定長ｘ（ｘ＞０）を加えた長さ（ａ＋ｘ））との比較を行う。このとき、ｔｐ＜ｔ０と判断した場合には、「（１）作成されるテープ長ｔの設定変更の制御」、若しくは「（２）テープ送り機構の制御」を行うことにより、確実にテープＴ（ラベル）の先端部を所定長ｘだけ装置外に排出させることが可能である。
【００７９】
そこで、まず、第一実施形態として、「（１）作成されるテープ長ｔの設定変更の制御」に関し、図６ないし図１０を参照して説明する。この制御は、算出したテープ長ｔｐと、最低テープ長ｔ０（切断位置１６ａと排出口位置１５ａ間の長さａに所定長ｘを加えた長さ（ａ＋ｘ））とを比較し、ｔｐ＜ｔ０となる場合、テープ長ｔの値をｔ≧ｔ０となるように（ｔ≧（ａ＋ｘ）となるように；以下、最低テープ長ｔ０は（ａ＋ｘ）と表記する）変更して設定するものである。
【００８０】
なお、テープ長ｔの変更は、図７に示すように、テープＴの「前余白長」および／または「後余白長」の長さを変更することにより行う。例えば、「前余白長」を変更する場合、「前余白長」とは、算出したテープ長ｔｐに含まれる前余白（配置設定若しくは数値入力によって決定される前余白；詳細は後述する）と、テープ長ｔの変更に伴って追加される前余白とを加えた長さを指す。すなわち、テープＴの先端からキャラクタ部の前端までを「前余白長」と言うものとする。同様に、「後余白長」とは、算出したテープ長ｔｐに含まれる後余白と、テープ長ｔの変更に伴って追加される後余白とを加えた長さを指し、キャラクタ部の後端からテープＴの後端までを言うものとする。
【００８１】
また、前述の通り、所定長ｘとは、切断時において、排出口位置１５ａからのテープ先端排出長さ（抓み代の長さ）を示す値であり、人間が指先でテープＴを抓める長さを想定したものである。したがって、テープＴ（ラベル）の先端部を所定長ｘだけ装置外に排出させることにより、切断動作を行う際に、ユーザはテープＴの先端部を指で抓むことができる。すなわち、より確実にテープＴを装置外に取り出すことができる。
【００８２】
図６のフローチャートに示すように、まず、ユーザにより、キーボード１０を用いて、文字、記号、図形および装飾などのキャラクタデータの入力が行われる（Ｓ１１）。次に、ユーザにより、この入力したキャラクタデータに基づくキャラクタ部分の配置設定を行うか、若しくは前後の余白を数値入力するかが選択される。配置設定を行う場合（Ｓ１２）は、配置位置として「▲１▼前寄せ」、「▲２▼後寄せ」、「▲３▼センタリング」のいずれか１が選択される。なお、「▲１▼前寄せ」とはキャラクタ部分がテープＴの先端部に寄り、前余白＜後余白となる配置であり、「▲２▼後寄せ」とはキャラクタ部分がテープＴの後端部に寄り、前余白＞後余白となる配置である。また、「▲３▼センタリング」とは、キャラクタ部分がテープＴの中央に位置し、前余白＝後余白となる配置を言うものである。
【００８３】
次に、選択された配置位置にしたがって、前余白および後余白の長さを決定するとともに、テープ長ｔｐの算出を行う（Ｓ１３）。具体的には、「▲１▼前寄せ」が選択された場合は前余白０〔ｍｍ〕且つ後余白８〔ｍｍ〕、「▲２▼後寄せ」が選択された場合は前余白８〔ｍｍ〕且つ後余白０〔ｍｍ〕「▲３▼センタリング」が選択された場合は、前余白および後余白がそれぞれ４〔ｍｍ〕に設定される。また、算出されるテープ長ｔｐは、これら前余白と後余白の長さに、キャラクタ部分の長さを加えた長さとなるが、キャラクタ部分の長さは、文字サイズや書式等によって長さが変動し、計算式が複雑となるため、ここでは説明を省略する。
【００８４】
次に、算出されたテープ長ｔｐと、切断位置１６ａと排出口位置１５ａ間の長さａに所定長ｘを加えた長さ（ａ＋ｘ）とを比較する（Ｓ１４）。ここで、ｔｐ≧（ａ＋ｘ）と判断した場合（Ｓ１４：Ｎｏ，図８（ａ）または（ｂ）の場合）は、テープ長ｔ＝ｔｐとなるように印刷およびテープ送りを行う（Ｓ１５）。そして、手動によりテープＴの後端部がカットされた後（Ｓ１６）、テープＴを排出する（Ｓ１７）。
【００８５】
一方、ｔｐ＜（ａ＋ｘ）と判断した場合（Ｓ１４：Ｙｅｓ，図８（ｃ）の場合）は、テープ長ｔの変更を行う（Ｓ１８）。変更方法としては、３パターンあるが、配置設定において、「▲１▼前寄せ」が選択された場合（Ｓ１９）は、後余白に長さαを加え（図９（ａ）参照）、「▲２▼後寄せ」が選択された場合（Ｓ２０）は、前余白に長さαを加え（図９（ｂ）参照）、さらに、「▲３▼センタリング」が選択された場合（Ｓ２１）は、前余白および後余白にそれぞれ長さβを加える（図９（ｃ）参照）ことにより、テープ長ｔがｔ＝（ａ＋ｘ）となるように変更を行う。ここで、長さαは、計算式α＝（ａ＋ｘ−ｔｐ）で求められる値であり、長さβは、計算式β＝α／２＝（ａ＋ｘ−ｔｐ）／２で求められる値である。なお、ここではｔ＝（ａ＋ｘ）となるように変更を行うだけでなく、ｔ≧（ａ＋ｘ）となるように、αおよびβの値を設定しても良い。
【００８６】
このようにして、テープ長ｔの値を変更し、印刷およびテープ送りを行う（Ｓ２２）。このとき、テープ送りは、テープ長ｔ＝（ａ＋ｘ）分だけ送る。そして、手動によりテープＴの後端部がカットされた後（Ｓ１６）、テープＴを排出する（Ｓ１７）。
【００８７】
次に、配置設定（Ｓ１２）を行わず、前後の余白長をユーザが設定する場合（Ｓ２３）について説明する。この場合、ユーザは、前余白および後余白の長さを、数値入力（例えば、前余白５〔ｍｍ〕、後余白３〔ｍｍ〕など）により行う（図１０（ａ）参照）。そして、これらの長さにキャラクタ部分の長さを加えることにより、テープ長ｔｐを算出し（Ｓ２４）、ｔｐ≧（ａ＋ｘ）と判断した場合（Ｓ２５：Ｎｏ，図８（ａ）または（ｂ）の場合）は、テープ長ｔ＝ｔｐとなるように印刷およびテープ送りを行う（Ｓ２６）。そして、手動によりテープＴの後端部がカットされた後（Ｓ２７）、テープＴを排出する（Ｓ２８）。
【００８８】
一方、ｔｐ＜（ａ＋ｘ）と判断した場合（Ｓ２５：Ｙｅｓ，図１０（ａ）の場合）は、テープ長ｔの変更を行う（Ｓ２９）。変更方法としては、余白変更位置を３パターン（「▲１▼前余白」、「▲２▼後余白」、「▲３▼前後均等」）の中から選択することにより行う。ここで、「▲１▼前余白」が選択された場合（Ｓ３０）は、前余白に長さαを加え（図１０（ｂ）参照）、「▲２▼後余白」が選択された場合（Ｓ３１）は、後余白に長さαを加え（図１０（ｃ）参照）、さらに、「▲３▼前後均等」が選択された場合（Ｓ３２）は、前余白および後余白にそれぞれ長さβを加える（図１０（ｄ）参照）ことにより、テープ長ｔがｔ＝（ａ＋ｘ）となるように変更を行う。なお、ここでもｔ＝（ａ＋ｘ）となるように変更を行うだけでなく、ｔ≧（ａ＋ｘ）となるように、αおよびβの値を設定しても良い。
【００８９】
このようにして、テープ長ｔの値を変更し、印刷およびテープ送りを行う（Ｓ３３）。このとき、テープ送りは、テープ長ｔ＝（ａ＋ｘ）分だけ送る。そして、手動によりテープＴの後端部がカットされた後（Ｓ２７）、テープＴを排出する（Ｓ２８）。
【００９０】
上記の通り、本発明の第一実施形態によれば、算出したテープ長ｔｐと、切断位置１６ａと排出口位置１５ａ間の長さａ（ａ＞０）に所定長ｘ（ｘ＞０）を加えた長さ（ａ＋ｘ）とを比較し、ｔｐ＜（ａ＋ｘ）となる場合、テープ長ｔの値をｔ＝（ａ＋ｘ）（ｔ≧（ａ＋ｘ）でも良い）となるように変更して設定するため、切断時において、テープＴの先端が少なくとも長さｘだけ排出された状態となる。したがって、確実にテープＴを装置外に排出することができる。
【００９１】
次に、第二実施形態として、「（２）テープ送り機構の制御」を行うことにより、確実にテープＴ（ラベル）を装置外に排出させる方法に関し、図１１および図１２を参照して説明する。この制御は、算出したテープ長ｔｐと、切断位置１６ａと排出口位置１５ａ間の長さａ（ａ＞０）に所定長ｘ（ｘ＞０）を加えた長さ（ａ＋ｘ）とを比較し、ｔｐ≧（ａ＋ｘ）となる場合、印刷を行うと共に長さｔｐだけテープＴを送った後、テープＴの後端部をカットする。一方、ｔｐ＜（ａ＋ｘ）となる場合は、印刷を行うと共に長さｔｐだけテープＴを送り、その後さらに長さα｛α≧（ａ＋ｘ−ｔｐ）｝（α＞０）だけテープＴを送った後、テープＴの後端部をカットするものである。
【００９２】
図１１のフローチャートに示すように、まず、ユーザにより、キーボード１０を用いて、キャラクタデータの入力が行われる（Ｓ４１）。次に、余白長を自動的に設定する（Ｓ４２）。ここで設定される余白長は、例えば、前余白および後余白それぞれ４〔ｍｍ〕であっても良いし、算出されたテープ長ｔｐに応じて、変更されるようにしても良い。なお、この場合、テープ長が５０〔ｍｍ〕以下のときは、前後それぞれ４〔ｍｍ〕、テープ長が５０〔ｍｍ〕より長いときは、前後それぞれ８〔ｍｍ〕などとすれば、全体的にバランスの良いラベルを作成することができる。また、この場合、予め、ユーザの好みの余白長を設定しておいて、その長さに設定されるようにしても良い。
【００９３】
次に、ユーザにより入力されたキャラクタデータおよび自動的に設定した余白長に基づいて、テープ長ｔｐを算出し（Ｓ４３）、ｔｐ≧（ａ＋ｘ）と判断した場合（Ｓ４４：Ｎｏ，図８（ａ）または（ｂ）の場合）は、テープ長ｔｐとなるように印刷およびテープ送りを行う（Ｓ４５）。そして、手動によりテープＴの後端部がカットされた後（Ｓ４６）、テープＴを排出する（Ｓ４７）。
【００９４】
一方、ｔｐ＜（ａ＋ｘ）と判断した場合（Ｓ４４：Ｙｅｓ，図１２（ａ）の場合）は、テープ長ｔｐとなるように印刷およびテープ送りを行った後（Ｓ４８）、長さα分のテープ送りを行う（Ｓ４９）。長さαは、計算式α＝（ａ＋ｘ−ｔｐ）で求められる値である。なお、この他、長さαをα≧（ａ＋ｘ−ｔｐ）となる値に設定しても良い。その後、手動によりテープＴの後端部がカットされ（Ｓ４６）、テープＴを排出する（Ｓ４７）。
【００９５】
次に、本実施形態の変形例について、図１３および図１４を参照して説明する。この変形例では、印刷位置２２ａと切断位置１６ａ間の長さｂ（ｂ≧０）を考慮したものである。具体的には、設定された前余白長ｔ１（ｔ１≧０）と、長さｂとを比較し、ｔ１＜ｂと判断された場合には、テープ送りの前に前カットマークを印刷する。さらに、（ａ＋ｘ）＞（ｔｐ＋ｂ）の場合には、長さ（ｔｐ＋ｂ）だけテープＴを送った時点で、カットマークを印刷する。
【００９６】
図１３のフローチャートに示すように、まず、ユーザにより、キーボード１０を用いて、キャラクタデータの入力が行われる（Ｓ５１）。次に、余白長を設定する（Ｓ５２）が、ここで設定される余白長は、自動設定（図１１のＳ４２参照）であっても任意設定（図６のＳ１２ないしＳ２１、同図のＳ２３ないしＳ３２参照）であっても良い。そして、設定した余白長に基づいて、テープ長ｔｐおよび前余白長ｔ１を算出する（Ｓ５３）。
【００９７】
次に、設定した前余白長ｔ１と、印刷位置２２ａと切断位置１６ａ間の長さｂとを比較し、ｔ１＜ｂと判断した場合（Ｓ５４；Ｙｅｓ）には、前カットマークを印刷する（Ｓ５５；図１４（ａ）参照）。その後、印刷および長さ（ｔｐ＋ｂ）分のテープ送りを行う（Ｓ５６）。一方、ｔ１≧ｂと判断した場合（Ｓ５４；Ｎｏ）は、前カットマークの印刷は行なわず、通常通りの印刷（長さｂが前余白長ｔ１の一部であるものとしての印刷）および長さｔｐ分のテープ送りを行う（Ｓ５７）。
【００９８】
次に、（ａ＋ｘ）と（ｔｐ＋ｂ）の長さを比較し、（ａ＋ｘ）＞（ｔｐ＋ｂ）と判断した場合（Ｓ５８；Ｙｅｓ）は、後カットマークを印刷（図１４（ｂ）参照）した後、さらに長さγ｛γ＝（ａ＋ｘ）−（ｔｐ＋ｂ）｝分のテープ送りを行う（Ｓ５９；図１４（ｃ）参照）。なお、この他、長さγをγ≧（ａ＋ｘ）−（ｔｐ＋ｂ）となる値に設定しても良い。そして、手動によりテープＴの後端部がカットされた後（Ｓ６０）、テープＴを排出する（Ｓ６１）。一方、（ａ＋ｘ）≦（ｔｐ＋ｂ）と判断した場合（Ｓ５８；Ｎｏ）は、後カットマークの印刷やテープ送りを行わず、手動によりテープＴの後端部がカットされ（Ｓ６０；図１４（ｄ）参照）、テープＴを排出する（Ｓ６１）。
【００９９】
このように、本変形例によれば、前余白長ｔ１が、印刷位置２２ａと切断位置１６ａ間の長さｂよりも短いか否かの比較を行うことにより、前余白長ｔ１が長さｂより短い場合であっても、テープ先端部の不要部分の終了位置にカットマークを印刷するため、テープ作成後、ユーザがカットマークに沿ってテープをカットすることで、見栄えの良いテープＴ（ラベル）を作成することができる。また、ユーザがハサミ等を用いてカットする場合、特にテープ幅の広いテープを用いる場合であっても、カットマークの形態を工夫する（点線や直線などを切断線に沿って印刷するなど）ことで、直線的に見栄え良くカットすることができる。
【０１００】
なお、本変形例において、設定した前余白長ｔ１と、印刷位置２２ａと切断位置１６ａ間の長さｂとの比較（Ｓ５４）を行わず、常にテープ送りの前に前カットマークを印刷（Ｓ５５）した後、テープ長（ｔｐ＋ｂ）となるように印刷およびテープ送りを行う（Ｓ５６）ようにしても良い（すなわち、Ｓ５４およびＳ５７の処理を行わないようにしても良い）。この構成によれば、テープ先端部に必ず長さｂ分の不要部分が生じることになるが、Ｓ５４の処理を省くことができるため、制御を簡素化することができる。
【０１０１】
また、カットマークの印刷に代えて、ハーフカットを行うようにしても良い。すなわち、本発明のテープ印刷装置１に用いられるテープＴは、印刷面となる受像層と、その裏面に形成された粘着材層と、さらにその裏面に形成された剥離紙層とにより構成されるが、この剥離紙層以外を切断可能なハーフカット機能を備え、上記のカットマーク印刷位置においてハーフカットを行うようにしても良い。この構成によれば、確実にテープＴを装置外に排出することができると共に、ハサミ等を用いることなくユーザの所望する長さのテープＴを得ることができる。
【０１０２】
上記の通り、本発明の第二実施形態によれば、入力された印刷データに基づいて算出されたテープ長ｔｐと、テープＴをカットする切断位置１６ａとテープＴを装置外に排出する排出口位置１５ａとの間の長さａに所定長ｘを加えた長さ（ａ＋ｘ）とを比較して、ｔｐ≧（ａ＋ｘ）と判断された場合、印刷を行うと共に長さｔｐだけテープＴを送った後、テープＴ後端部をカットする。一方、ｔｐ＜（ａ＋ｘ）と判断された場合は、印刷を行うと共に長さｔｐだけテープＴを送り、その後さらに長さα｛α≧（ａ＋ｘ−ｔｐ）｝（α＞０）だけテープＴを送った後、テープＴの後端部をカットする。このため、常に切断位置１６ａと排出口位置１５ａ間の長さａに所定長ｘを加えた長さ以上分のテープＴが送られる。したがって、切断時において、テープＴの先端が少なくとも長さｘだけ排出された状態となるため、確実にテープＴを装置外に排出することができる。また、カットマークを印刷するなどの工夫により、見栄えの良いラベルを作成することができる。
【０１０３】
以上、説明したとおり、本発明のテープ印刷装置および印刷方法によれば、ユーザによって入力された印刷データに基づいてテープ長（ｔｐ＞０）を算出し、算出したテープ長ｔｐと、テープＴの切断位置１６ａとテープＴを装置外に排出する排出口位置１５ａ間の長さａ（ａ＞０）に所定長ｘ（ｘ＞０）を加えた長さ（ａ＋ｘ）との比較を行う。このとき、ｔｐ＜（ａ＋ｘ）と判断した場合には、「（１）作成されるテープ長ｔの設定変更の制御」、若しくは「（２）テープ送り機構の制御」を行うことにより、切断時において、テープＴの先端が少なくとも長さｘだけ排出された状態とすることができる。したがって、確実にテープＴを装置外に排出することができる。
【０１０４】
また、切断位置１６ａと排出口位置１５ａとの間に、テープＴの位置ずれを防止するためのテープ押え手段を備えているため、テープＴを安定してカットすることができる。また、テープ押え手段を備えたことにより、電気工事など、高所での作業中に作業者が、このテープ印刷装置を用いるような場合でも、切断時においてテープＴが落下することがない。また、テープＴの先端が排出される長さ（ｘ）は、人間が指先でテープＴを抓める長さに設定されるため、切断動作を行う際にテープ先端部を指で抓むことができる。したがって、切断後のテープＴを確実に装置外に排出することができる。
【０１０５】
また、設定された前余白長ｔ１と、印刷位置２２ａと切断位置１６ａ間の長さｂとを比較し、ｔ１＜ｂと判断された場合（テープ先端部に長さｂ分の不要部分が生じる場合）には、テープ送りの前に前カットマークを印刷し、さらに、（ａ＋ｘ）＞（ｔｐ＋ｂ）の場合（テープ後端部に長さγ｛γ≧（ａ＋ｘ）−（ｔｐ＋ｂ）｝分の不要部分が生じる場合）には、長さ（ｔｐ＋ｂ）だけテープＴを送った時点で後カットマークを印刷する。このため、テープ作成後、ユーザがカットマークに沿ってテープＴをカットすることで、見栄えの良いテープ（ラベル）を作成することができる。
【０１０６】
なお、上記の例では、切断動作は、手動で行われるものとしたが、カッタモータ等を備え、所定の位置までテープＴを送った後、自動的にテープＴをカットするように構成しても良い。また、手動切断と自動切断とを切り替え可能に構成しても良い。この構成によれば、より操作性を向上させることができる。
【０１０７】
また、印刷データの入力に用いられるキーボード１０上に配置される機能キー群１０ｂとして、上記の例に挙げたものの他、各キーの役割を変更したり描画登録画像データの修正等に用いられるシフトキー、印刷画像データの印刷色やその中間色（混色）を指定するための色指定キー、文字色や背景色を設定するための色設定キー、テキスト入力画面や選択画面と印刷画像データの表示画面（イメージ画面）とを相互に切り換えるためのイメージキー、印刷画像データとイメージ画面に表示する表示画像データとの大きさの比率を変更するための比率変更（ズーム）キー、各種フォームを設定するためのフォームキー等を備えるようにしても良い。また、これらのキー入力は、一般的なキーボードと同様に、各キー入力毎に個別にキーを設けて入力しても良いし、シフトキー等と組み合わせてより少ない数のキーを用いて入力しても良い。この構成によれば、よりユーザのニーズに合った、多種多様なラベルを作成することができる。
【０１０８】
また、上記実施形態では、ハンディタイプのテープ印刷装置を例に挙げたが、これに限らず、他のタイプの印刷装置にも、本発明の印刷方法を応用可能である。また、その場合、本発明の要旨を逸脱しない範囲で、適宜変更も可能である。
【０１０９】
【発明の効果】
上述のように、本発明のテープ印刷装置およびテープ印刷方法によれば、切断後のテープを、装置内に留まらせることなく確実に装置外に排出することができる、などの効果がある。
【図面の簡単な説明】
【図１】本発明の一実施形態に係るテープ印刷装置の全体斜視図である。
【図２】図１のテープ印刷装置の装置ケースを省略し、これを裏側から見た全体底面図である。
【図３】図１のテープ印刷装置の全体断面図である。
【図４】図１のテープ印刷装置の制御系のブロック図である。
【図５】アルファベットで示す長さを説明した一覧表である。
【図６】本発明の第一実施形態を示すフローチャートである。
【図７】第一実施形態における前余白長および後余白長の概念を示す説明図である。
【図８】テープ長と、切断位置と排出口位置との間の長さに所定長を加えた長さとを比較した説明図である。
【図９】３パターンの配置位置を示す説明図である。
【図１０】３パターンの余白変更位置を示す説明図である。
【図１１】本発明の第二実施形態を示すフローチャートである。
【図１２】印刷後のテープ送りを示す説明図である。
【図１３】本発明の第二実施形態の変形例を示すフローチャートである。
【図１４】カットマークの印刷を示す説明図である。
【図１５】従来例を示す説明図である。
【符号の説明】
１      テープ印刷装置
４      テープカートリッジ
１０    キーボード
１１    ディスプレイ
１５    テープ排出口
１５ａ  排出口位置
１６ａ  切断位置
２２    印刷ヘッド
２２ａ  印刷位置
２３    テープ送りモータ
３１    テープ押え部材
１１０  操作部
１２０  印刷部
１３０  駆動部
２００  制御部
Ｔ      テープ
【図１】
0003626124.tif 000002
【図２】
0003626124.tif 000003
【図３】
0003626124.tif 000004
【図４】
0003626124.tif 000005
【図５】
0003626124.tif 000006
【図６】
0003626124.tif 000007
【図７】
0003626124.tif 000008
【図８】
0003626124.tif 000009
【図９】
0003626124.tif 000010
【図１０】
0003626124.tif 000011
【図１１】
0003626124.tif 000012
【図１２】
0003626124.tif 000013
【図１３】
0003626124.tif 000014
【図１４】
0003626124.tif 000015
【図１５】
0003626124.tif 000016